Podtech/llm-jp-corpus-v4-ja_patent huggingface dataset:
【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
式（Ｉ）による化合物
【化１】
2014530900.tif 000001
もしくはその互変異性体、または前記化合物もしくは互変異性体の薬学的に許容できる塩［式中、
Ｒ１およびＲ２は、それらが結合した炭素と一緒になって、４から７員環を形成し、ここで、
前記環の１員はＯであり、
前記環の残りの員は、それぞれの出現において同じであっても異なっていてもよいＣＲ６Ｒ７であり、
Ｒ３は、Ｈ、（Ｃ１〜Ｃ３）アルキル、シクロプロピル、シクロプロピル−ＣＨ２−、−ＣＨ２ＯＨ、−ＣＨ２ＯＣＨ３、（Ｃ１〜Ｃ３）フルオロアルキル、−ＯＨ、−ＯＣＨ３、Ｆ、−ＮＨ２、ＮＨＣＨ３、−Ｎ（ＣＨ３）２および−ＮＨＣ（Ｏ）ＣＨ３からなる群から選択され、
Ｒ４は、−ＣＦ３、−ＯＣＦ３、−ＯＣＨＦ２、Ｃｌおよび−ＳＦ５からなる群から選択され、
Ｒ５は、Ｈおよび−ＣＨ３からなる群から選択され、
Ｒ６およびＲ７は、Ｈ、ＣＨ３−、−ＯＨ、−ＯＣＨ３、Ｆ、−ＮＨ２、ＮＨＣＨ３および−Ｎ（ＣＨ３）２からなる群から独立に選択される］。
【請求項２】
Ｒ１およびＲ２が、それらが結合した炭素と一緒になって、式
【化２】
2014530900.tif 000002
［式中、ｍは、１、２または３であり、ｎは、１または２である］の４から７員環を形成する、請求項１に記載の式（Ｉ）の化合物もしくはその互変異性体、または前記化合物もしくは互変異性体の薬学的に許容できる塩。
【請求項３】
ｍが１であり、ｎが１である、請求項２に記載の式（Ｉ）の化合物もしくはその互変異性体、または前記化合物もしくは互変異性体の薬学的に許容できる塩。
【請求項４】
Ｒ３が、Ｈ、メチル、エチル、ｎ−プロピルおよびイソプロピルからなる群から選択される、前記請求項のいずれかに記載の式（Ｉ）の化合物もしくはその互変異性体、または前記化合物もしくは互変異性体の薬学的に許容できる塩。
【請求項５】
Ｒ５がＨである、前記請求項のいずれかに記載の式（Ｉ）の化合物もしくはその互変異性体、または前記化合物もしくは互変異性体の薬学的に許容できる塩。
【請求項６】
３−（｛４−［４−（トリフルオロメトキシ）フェニル］−１Ｈ−イミダゾール−２−イル｝メチル）テトラヒドロ−２Ｈ−ピラン−３−アミン、
３−｛［４−（４−クロロ−３−メチルフェニル）−１Ｈ−イミダゾール−２−イル］メチル｝オキセタン−３−アミン、
３−（｛４−［４−（トリフルオロメトキシ）フェニル］−１Ｈ−イミダゾール−２−イル｝メチル）−テトラヒドロフラン−３−アミン、
３−（｛４−［４−（トリフルオロメチル）フェニル］−１Ｈ−イミダゾール−２−イル｝メチル）オキセタン−３−アミン、
３−（｛４−［４−（ジフルオロメトキシ）フェニル］−１Ｈ−イミダゾール−２−イル｝メチル）オキセタン−３−アミン、
３−（｛４−［４−（ペンタフルオロ−λ６−スルファニル）フェニル］−１Ｈ−イミダゾール−２−イル｝−メチル）−オキセタン−３−アミン、
４−（｛４−［４−（トリフルオロメトキシ）フェニル］−１Ｈ−イミダゾール−２−イル｝メチル）テトラヒドロ−２Ｈ−ピラン−４−アミン、
３−（｛４−［４−（トリフルオロメトキシ）フェニル］−１Ｈ−イミダゾール−２−イル｝メチル）オキセタン−３−アミン、
３−（１−｛４−［４−（トリフルオロメトキシ）フェニル］−１Ｈ−イミダゾール−２−イル｝エチル）オキセタン−３−アミン、
３−［（１Ｓ）−１−｛４−［４−（トリフルオロメトキシ）フェニル］−１Ｈ−イミダゾール−２−イル｝エチル］−オキセタン−３−アミン、
３−［（１Ｒ）−１−｛４−［４−（トリフルオロメトキシ）フェニル］−１Ｈ−イミダゾール−２−イル｝エチル］−オキセタン−３−アミン、
３−（１−｛４−［４−（トリフルオロメチル）フェニル］−１Ｈ−イミダゾール−２−イル｝エチル）オキセタン−３−アミン、
３−［（１Ｓ）−１−｛４−［４−（トリフルオロメチル）フェニル］−１Ｈ−イミダゾール−２−イル｝エチル］オキセタン−３−アミン、
３−［（１Ｒ）−１−｛４−［４−（トリフルオロメチル）フェニル］−１Ｈ−イミダゾール−２−イル｝エチル］オキセタン−３−アミン、
３−（１−｛４−［４−（トリフルオロメトキシ）フェニル］−１Ｈ−イミダゾール−２−イル｝プロピル）オキセタン−３−アミン、
３−（（１Ｓ）−１−｛４−［４−（トリフルオロメトキシ）フェニル］−１Ｈ−イミダゾール−２−イル｝プロピル）オキセタン−３−アミン、および
３−（（１Ｒ）−１−｛４−［４−（トリフルオロメトキシ）フェニル］−１Ｈ−イミダゾール−２−イル｝プロピル）オキセタン−３−アミン
から選択される、前記請求項のいずれかに記載の式（Ｉ）の化合物
もしくはその互変異性体、または前記化合物もしくは互変異性体の薬学的に許容できる塩。
【請求項７】
医薬として使用するための、請求項１から６のいずれか一項に記載の式（Ｉ）の化合物もしくはその互変異性体、または前記化合物もしくは互変異性体の薬学的に許容できる塩。
【請求項８】
疼痛の治療において使用するための、請求項１から６のいずれか一項に記載の式（Ｉ）の化合物もしくはその互変異性体、または前記化合物もしくは互変異性体の薬学的に許容できる塩。
【請求項９】
請求項１から６のいずれか一項に記載の式（Ｉ）の化合物もしくはその互変異性体、または前記化合物もしくは互変異性体の薬学的に許容できる塩を含む、医薬組成物。
【請求項１０】
局所投与に適合している、請求項９に記載の医薬組成物。
【請求項１１】
眼投与に適合している、請求項９に記載の医薬組成物。
【請求項１２】
１つまたは複数の追加の治療剤をさらに含む、請求項９に記載の医薬組成物。
【請求項１３】
疼痛の治療において使用するための医薬の製造のための、請求項１から６のいずれか一項に記載の式（Ｉ）の化合物もしくはその互変異性体、または前記化合物もしくは互変異性体の薬学的に許容できる塩の使用。
【請求項１４】
請求項１から６のいずれか一項に記載の式（Ｉ）の化合物もしくはその互変異性体、または前記化合物もしくは互変異性体の薬学的に許容できる塩を含む、ＮａＶ１．８阻害剤が適応となる障害を治療するための医薬組成物。
【請求項１５】
請求項１から６のいずれか一項に記載の式（Ｉ）の化合物もしくはその互変異性体、または前記化合物もしくは互変異性体の薬学的に許容できる塩を含む、疼痛を治療するための医薬組成物。
【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
少なくとも1種のαアドレナリン作動性受容体アゴニストを含む少なくとも1種の医薬的に活性な化合物および局所的に許容できる担体を含む、ヒトにおけるホスホジエステラーゼ5型阻害薬の全身使用に伴う顔面皮膚潮紅の軽減のための医薬組成物。
【請求項２】
少なくとも1種のα1アドレナリン作動性受容体アゴニストを含む、請求項１の医薬組成物。
【請求項３】
少なくとも1種のα2アドレナリン作動性受容体アゴニストを含む、請求項１の医薬組成物。
【請求項４】
αアドレナリン作動性受容体アゴニストが、オキシメタゾリン、テトラヒドロゾリン、ナファゾリン、キシロメタゾリン、フェニレフリン、メトキサミン、メフェンテルミン、メタラミノール、デスグリミドドリン、ミドドリン、ブリモニジン、及びその医薬的に許容できる塩、及び該化合物又は塩の任意の組合せから成る群より選択される、請求項１の医薬組成物。
【請求項５】
αアドレナリン作動性受容体アゴニストが、オキシメタゾリン、テトラヒドロゾリン、ナファゾリン、キシロメタゾリン、フェニレフリン、メトキサミン、メフェンテルミン、メタラミノール、デスグリミドドリン、ミドドリン、及びその医薬的に許容できる塩、及び該化合物又は塩の任意の組合せから成る群より選択される、請求項１の医薬組成物。
【請求項６】
少なくとも1種のαアドレナリン作動性受容体アゴニスト又はその医薬的に許容できる塩が、ブリモニジン、オキシメタゾリン、又はその医薬的に許容できる塩、又はいずれかの該化合物若しくは塩の組合せから成る群より選択される、請求項１に記載の医薬組成物。
【請求項７】
ホスホジエステラーゼ5型阻害薬の全身使用に伴う顔面皮膚潮紅を軽減するための唯一の医薬的に活性な化合物が、ブリモニジン若しくはその医薬的に許容できる塩又はオキシメタゾリン若しくはその医薬的に許容できる塩；又はブリモニジン若しくはその医薬的に許容できる塩とオキシメタゾリン若しくはその医薬的に許容できる塩との組合せである、請求項１に記載の医薬組成物。
【請求項８】
組成物中のいかなる種類にせよ唯一の医薬的に活性な化合物が、ブリモニジン若しくはその医薬的に許容できる塩又はオキシメタゾリン若しくはその医薬的に許容できる塩；又はブリモニジン若しくはその医薬的に許容できる塩とオキシメタゾリン若しくはその医薬的に許容できる塩との組合せである、請求項１に記載の医薬組成物。
【請求項９】
医薬的に許容できる塩がオキシメタゾリン塩酸塩である、請求項１に記載の医薬組成物。
【請求項１０】
医薬的に許容できる塩がブリモニジン酒石酸塩である、請求項１に記載の医薬組成物。
【請求項１１】
αアドレナリン作動性受容体アゴニストが、ヒトの顔面皮膚潮紅を軽減する唯一の化合物である、請求項１に記載の医薬組成物。
【手続補正書】
【提出日】平成27年10月20日(2015.10.20)
【手続補正１】
【補正対象書類名】明細書
【補正対象項目名】００１７
【補正方法】変更
【補正の内容】
【００１７】
数種のＣＯＭＴ阻害剤がすでに記載されている。トルカポン、エンタカポン、およびニテカポンは、いわゆる「第二世代ＣＯＭＴ阻害剤」に属し、強力で選択性が高く、経口活性のあるＣＯＭＴ阻害剤であることが示されている。ニトロカテコールは、これらの分子内の重要構造である(Pharm. Rev., 1999, vol 51, p. 593-628, 前掲)。よって、一つの実施態様では、ＴＴＲ関連アミロイドーシスの予防および／または治療における使用のためのＣＯＭＴ阻害剤は、ニトロカテコール化合物である。特定の実施態様では、ニトロカテコール化合物は下式Ｉ：
【化１】
2014530842.tif 000001
（式中、Ｒ＝−Ｃ（Ｏ）−ＰｈＣＨ３、−ＣＨ＝Ｃ（ＣＮ）−Ｃ（Ｏ）−ＮＥｔ２または−ＣＨ＝Ｃ（Ｃ（Ｏ）ＣＨ３）２）
を有するか、またはその薬学上許容可能な塩である。
【手続補正２】
【補正対象書類名】特許請求の範囲
【補正対象項目名】全文
【補正方法】変更
【補正の内容】
【特許請求の範囲】
【請求項１】
トランスサイレチン関連アミロイドーシスの予防および／または治療のための医薬組成物であって、式Ｉ：
【化１】
2014530842.tif 000002
［式中、
Ｒは、−Ｃ（Ｏ）−ＰｈＣＨ３、−ＣＨ＝Ｃ（ＣＮ）−Ｃ（Ｏ）−ＮＥｔ２および−ＣＨ＝Ｃ（Ｃ（Ｏ）ＣＨ３）２からなる群から選択される］
のカテコール−Ｏ−メチルトランスフェラーゼ（ＣＯＭＴ）阻害剤またはその薬学上許容可能な塩と薬学上許容可能な賦形剤および／または担体とを含んでなる、医薬組成物。
【請求項２】
前記ＣＯＭＴ阻害剤がトルカポンまたはその薬学上許容可能な塩である、請求項１に記載の医薬組成物。
【請求項３】
前記トランスサイレチン関連アミロイドーシスが家族性アミロイド多発性神経障害である、請求項１または２に記載の医薬組成物。
【請求項４】
前記トランスサイレチン関連アミロイドーシスが老人性全身性アミロイドーシスである、請求項１または２に記載の医薬組成物。
【請求項５】
前記トランスサイレチン関連アミロイドーシスが軟膜アミロイドーシスである、請求項１または２に記載の医薬組成物。
【請求項６】
前記トランスサイレチン関連アミロイドーシスが家族性アミロイド心筋症である、請求項１または２に記載の医薬組成物。
【請求項７】
請求項１に定義される別のＣＯＭＴ阻害剤、ベンズオキサゾール誘導体、ヨードジフルニサル、ジフルニサル、レスベラトロール、タウロウルソデオキシコール酸、ドキソサイクリン(doxocycline)およびエピガロカテキン−３−ガレートからなる群から選択される付加的治療薬との併用療法でトランスサイレチン関連アミロイドーシスを予防および／または治療するための医薬組成物であって、請求項１に定義されるカテコール−Ｏ−メチルトランスフェラーゼ（ＣＯＭＴ）阻害剤と薬学上許容可能な賦形剤および／または担体とを含んでなる、医薬組成物（ただし、前記ベンズオキサゾール誘導体は、式Ｖ：
【化２】
2014530842.tif 000003
［式中、
Ｙは、ＣＯＯＲ、テトラゾリル、ＣＯＮＨＯＲ、Ｂ（ＯＨ）２およびＯＲからなる群から選択され；
Ｘは、Ｏであり；かつ
Ｒ１、Ｒ２およびＲ３は各々独立に、水素、ハロ、ＯＲ、Ｂ（ＯＨ）２およびＣＦ３からなる群から選択され、ここで、
Ｒは、水素、Ｃ１−Ｃ６アルキル、Ｃ１−Ｃ６アルケニル、Ｃ１−Ｃ６アルキニル、Ｃ１−Ｃ６シクロアルキル、Ｃ１−Ｃ６ヘテロシクリル、フェニル、キシリル、ナフチル、チエニル、インドリルおよびピリジルからなる群から選択される］
の化合物またはその薬学上許容可能な塩である）。
【請求項８】
前記ベンズオキサゾール誘導体が式ＶＩ：
【化３】
2014530842.tif 000004
［式中、Ｙは、ＣＯＯＨおよびＯＨからなる群から選択され；かつ
Ｒ１、Ｒ２およびＲ３は各々独立に、水素、ハロ、ＯＨ、Ｂ（ＯＨ）２およびＣＦ３からなる群から選択される］
の化合物またはその薬学上許容可能な塩である、請求項７に記載の医薬組成物。
【請求項９】
前記ベンズオキサゾール誘導体がタファミディスである、請求項７または８に記載の医薬組成物。
【請求項１０】
前記ＣＯＭＴ阻害剤が注射投与形、経口投与形または徐放性投与形として投与される、請求項１〜９のいずれか一項に記載の医薬組成物。
【請求項１１】
トランスサイレチン関連アミロイドーシスの予防および／または治療のための、請求項１に定義されるカテコール−Ｏ−メチルトランスフェラーゼ（ＣＯＭＴ）阻害剤と、請求項１に定義される別のＣＯＭＴ阻害剤、ベンズオキサゾール誘導体、ヨードジフルニサル、ジフルニサル、レスベラトロール、タウロウルソデオキシコール酸、ドキソサイクリン(doxocycline)およびエピガロカテキン−３−ガレートからなる群から選択される付加的治療薬との組合せ、ならびに薬学上許容可能な賦形剤および／または担体を含んでなる、医薬組成物（ただし、前記ベンズオキサゾール誘導体は式Ｖ：
【化４】
2014530842.tif 000005
［式中、
Ｙは、ＣＯＯＲ、テトラゾリル、ＣＯＮＨＯＲ、Ｂ（ＯＨ）２およびＯＲからなる群から選択され；
Ｘは、Ｏであり；かつ
Ｒ１、Ｒ２およびＲ３は各々独立に、水素、ハロ、ＯＲ、Ｂ（ＯＨ）２およびＣＦ３からなる群から選択され、ここで、
Ｒは、水素、Ｃ１−Ｃ６アルキル、Ｃ１−Ｃ６アルケニル、Ｃ１−Ｃ６アルキニル、Ｃ１−Ｃ６シクロアルキル、Ｃ１−Ｃ６ヘテロシクリル、フェニル、キシリル、ナフチル、チエニル、インドリルおよびピリジルからなる群から選択される］
の化合物またはその薬学上許容可能な塩である）。
【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
ヒトの毛細血管腫を治療するための医薬組成物であって、キシロメタゾリン、エピネフリン、ノルエピネフリン、フェニレフリン、メトキサミン、グアナベンズ、グアンファシン、α-メチルドーパミン、アンフェタミン、メチルフェニデート、ロフェキシジン、モクソニジン、デクスメデトミジン、ミバゼロール、ブリモニジンおよびオキシメタゾリン、から成る群より選択される1種以上の抗毛細血管腫活性化合物を含む１種以上の医薬的に活性な化合物、その医薬的に許容できる塩、又は該化合物若しくは塩の任意の組合せ、を含み、皮膚上の毛細血管腫の部位に局所投与するための前記医薬組成物。
【請求項２】
1種以上の活性な化合物又はその医薬的に許容できる塩が、キシロメタゾリン、エピネフリン、ノルエピネフリン、フェニレフリン、及びメトキサミン、又は該化合物若しくはその塩の任意の組合せから成る群より選択される、請求項1に記載の医薬組成物。
【請求項３】
1種以上の活性な化合物又はその医薬的に許容できる塩が、グアナベンズ、グアンファシン、α-メチルドーパミン、アンフェタミン、メチルフェニデート、ロフェキシジン、モクソニジン、デクスメデトミジン、及びミバゼロール、又は該化合物若しくは塩の任意の組合せから成る群より選択される、請求項1に記載の医薬組成物。
【請求項４】
1種以上の活性な化合物又はその医薬的に許容できる塩が、ブリモニジン、オキシメタゾリン、又はその医薬的に許容できる塩、又はいずれかの該化合物若しくは塩の組合せから成る群より選択される、請求項1に記載の医薬組成物。
【請求項５】
医薬的に許容できる塩がブリモニジン酒石酸塩である、請求項1に記載の医薬組成物。
【請求項６】
ブリモニジン酒石酸塩が、組成物の総質量に基づいて約0.01%の最小量及び約5%の最大量で存在する、請求項5に記載の医薬組成物。
【請求項７】
医薬的に許容できる塩がオキシメタゾリン塩酸塩である、請求項1に記載の医薬組成物。
【請求項８】
オキシメタゾリン塩酸塩が、組成物の総質量に基づいて約0.01%の最小量及び約5%の最大量で存在する、請求項7に記載の医薬組成物。
【請求項９】
組成物中の唯一の抗毛細血管腫活性化合物が、キシロメタゾリン、エピネフリン、ノルエピネフリン、フェニレフリン、メトキサミン、グアナベンズ、グアンファシン、α-メチルドーパミン、アンフェタミン、メチルフェニデート、ロフェキシジン、モクソニジン、デクスメデトミジン、ミバゼロール、ブリモニジン、オキシメタゾリン、その医薬的に許容できる塩、又は該化合物若しくは塩の任意の組合せである、請求項1に記載の医薬組成物。
【請求項１０】
毛細血管腫を治療するための唯一の医薬的に活性な成分が、ブリモニジン若しくはその医薬的に許容できる塩又はオキシメタゾリン若しくはその医薬的に許容できる塩；又はブリモニジン若しくはその医薬的に許容できる塩とオキシメタゾリン若しくはその医薬的に許容できる塩との組合せである、請求項1に記載の医薬組成物。
【請求項１１】
組成物中のいかなる種類にせよ唯一の医薬的に活性な化合物が、ブリモニジン若しくはその医薬的に許容できる塩又はオキシメタゾリン若しくはその医薬的に許容できる塩；又はブリモニジン若しくはその医薬的に許容できる塩とオキシメタゾリン若しくはその医薬的に許容できる塩との組合せである、請求項1に記載の医薬組成物。
【請求項１２】
抗菌薬、駆虫薬、抗酸化薬、ステロイド系抗炎症薬、非ステロイド系抗炎症薬、抗血管新生薬、及びレチノイン酸の誘導体から成る群より選択される1種以上の医薬的に活性な成分をさらに含む、請求項1の医薬組成物。
【請求項１３】
アロエ若しくは日焼け止め、又はその組合せをさらに含む、請求項1の医薬組成物。
【請求項１４】
さらに保存剤を含む、請求項1の医薬組成物。
【請求項１５】
副腎皮質ステロイド薬の全身投与と併用するための、請求項1の医薬組成物。
【請求項１６】
副腎皮質ステロイド薬の病巣内注射と併用するための、請求項1の医薬組成物。
【請求項１７】
毛細血管腫の放射線療法と併用するための、請求項1の医薬組成物。
【請求項１８】
インターフェロン療法と併用するための、請求項1の医薬組成物。
【請求項１９】
レーザー療法と併用するための、請求項1の医薬組成物。
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
治療有効量のＤＧＬＡ、１５−ＯＨＥＰＡ、または１５−ＨＥＴｒＥを含む、座瘡の治療で使用するための組成物。
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
任意に、薬学的に許容可能な塩、溶媒和物、多形、プロドラッグ、互変異性体、ラセミ体、エナンチオマー若しくはジアステレオマー、又はそれらの混合物の形態である、下記一般式ＩＩを有する化合物：
【化１】
2014530838.tif 000001
（式中、
ＹはＳであり、
Ｒ２１は−Ｈ、−Ｃ１〜６アルキル、−（ＣＨ２）ｑ−アリール、−（ＣＨ２）ｑ−ヘテロシクリル、−（ＣＨ２）ｑ−シクロアルキル、−（ＣＨ２）ｐ−ＯＲ２５及び−（ＣＨ２）ｐ−ＮＲ２５Ｒ２６から選択され、
Ｒ２２は−Ｈ、−Ｃ１〜６アルキル、−（ＣＨ２）ｑ−シクロアルキル、−Ｈａｌ、−ＣＦ３及び−ＣＮから選択され、
Ｒ２３は−アリール、−ヘテロシクリル、−シクロアルキル、−Ｃ（−Ｒ２８）（−Ｒ２９）−アリール、−Ｃ（−Ｒ２８）（−Ｒ２９）−ヘテロシクリル及び−Ｃ（−Ｒ２８）（−Ｒ２９）−シクロアルキルから選択され、
Ｒ２５は−Ｈ、−Ｃ１〜６アルキル及び−（ＣＨ２ＣＨ２Ｏ）ｒＨから選択され、
Ｒ２６は−Ｈ及び−Ｃ１〜６アルキルから選択され、
Ｒ２７は独立して−Ｃ１〜６アルキル、−Ｃ（Ｏ）−Ｃ１〜６アルキル、−Ｈａｌ、−ＣＦ３、−ＣＮ、−ＣＯＯＲ２５、−ＯＲ２５、−（ＣＨ２）ｑＮＲ２５Ｒ２６、−Ｃ（Ｏ）−ＮＲ２５Ｒ２６及び−ＮＲ２５−Ｃ（Ｏ）−Ｃ１〜６アルキルから選択され、
Ｒ２８及びＲ２９は独立して−Ｈ、−Ｃ１〜６アルキル、−（ＣＨ２）ｑ−アリール、−（ＣＨ２）ｑ−ヘテロシクリル、−（ＣＨ２）ｑ−シクロアルキル、−ＯＨ、−Ｏ−Ｃ１〜６アルキル、−Ｏ−（ＣＨ２）ｑ−アリール、−Ｏ−（ＣＨ２）ｑ−ヘテロシクリル及び−Ｏ−（ＣＨ２）ｑ−シクロアルキルから選択され、又は、
Ｒ２８及びＲ２９は共に＝Ｏ、−ＣＨ２ＣＨ２−、−ＣＨ２ＣＨ２ＣＨ２−若しくは−ＣＨ２ＣＨ２ＣＨ２ＣＨ２−であり、
ｐは１〜４であり、
ｑは０〜４であり、
ｒは１〜３であり、
前記アリール基、ヘテロシクリル基及び／又はシクロアルキル基が１つ又は複数の置換基Ｒ２７で任意に置換されていてもよく、
ただし、該化合物は以下の化合物の１つではない：
【化２】
2014530838.tif 000002
）。
【請求項２】
Ｒ２１が−Ｈ、−Ｃ１〜６アルキル又は−（ＣＨ２）ｐ−ＯＲ２５である、請求項１に記載の化合物。
【請求項３】
Ｒ２２が−Ｈ、−Ｃ１〜６アルキル又はＨａｌである、請求項１又は２に記載の化合物。
【請求項４】
Ｒ２３が−（ＣＨ２）ｑ−アリール又は−（ＣＨ２）ｑ−ヘテロアリールであり、そのアリール基及び／又はヘテロアリール基が１つ又は複数の置換基Ｒ２７で任意に置換されていてもよい、請求項１〜３のいずれか一項に記載の化合物。
【請求項５】
Ｒ２３が−フェニル、−ベンジル又は−ピリジルであり、その置換基が独立して−Ｈａｌ、−ＣＦ３、−ＣＮ、−Ｃ１〜６アルキル、−Ｃ（Ｏ）−Ｃ１〜６アルキル又は−（ＣＨ２）ｑＮＲ２５Ｒ２６から選択され、Ｒ２５及びＲ２６が独立してＨ及び−Ｃ１〜６アルキルから選択される、請求項１〜４のいずれか一項に記載の化合物。
【請求項６】
請求項１〜５のいずれか一項に記載の一般式ＩＩを有する化合物と、任意に１つ又は複数の薬学的に許容可能な添加剤及び／又は担体とを含む医薬組成物（ただし、該化合物は以下の化合物の１つではない：
【化３】
2014530838.tif 000003
）。
【請求項７】
ウイルス性疾患の治療、改善又は予防に使用される、請求項１〜５のいずれか一項に記載の一般式ＩＩを有する化合物（ただし、除かれる前記のものは除かれない）を含有する医薬。
【請求項８】
前記ウイルス性疾患がヘルペスウイルス科、レトロウイルス科、フィロウイルス科、パラミクソウイルス科、ラブドウイルス科、オルトミクソウイルス科、ブニヤウイルス科、アレナウイルス科、コロナウイルス科、ピコルナウイルス科、トガウイルス科、フラビウイルス科によって引き起こされ、より具体的には前記ウイルス性疾患がインフルエンザである、請求項７に記載の医薬。
【請求項９】
医薬組成物であって、
（ｉ）請求項１〜５のいずれか一項に記載の一般式ＩＩを有する化合物（ただし、除かれる前記のものは除かれない）と、
（ｉｉ）前記一般式ＩＩを有する化合物とは異なる少なくとも１つのポリメラーゼ阻害剤；
少なくとも１つのノイラミニダーゼ阻害剤；
少なくとも１つのＭ２チャネル阻害剤；
少なくとも１つのαグルコシダーゼ阻害剤；
少なくとも１つの別のインフルエンザ標的のリガンド；並びに
抗生物質、抗炎症剤、リポキシゲナーゼ阻害剤、ＥＰリガンド、ブラジキニンリガンド及びカンナビノイドリガンドから選択される少なくとも１つの薬剤
からなる群より選択される少なくとも一種の化合物と、
任意に１つ又は複数の薬学的に許容可能な添加剤及び／又は担体と、
を含む、医薬組成物。
【請求項１０】
ウイルス性疾患の治療、改善又は予防に使用される、請求項９に記載の医薬組成物。
【請求項１１】
前記ウイルス性疾患がヘルペスウイルス科、レトロウイルス科、フィロウイルス科、パラミクソウイルス科、ラブドウイルス科、オルトミクソウイルス科、ブニヤウイルス科、アレナウイルス科、コロナウイルス科、ピコルナウイルス科、トガウイルス科、フラビウイルス科によって引き起こされ、より具体的には前記ウイルス性疾患がインフルエンザである、請求項１０に記載の医薬組成物。
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
任意に、薬学的に許容可能な塩、溶媒和物、多形、プロドラッグ、互変異性体、ラセミ体、エナンチオマー若しくはジアステレオマー、又はそれらの混合物の形態である、下記一般式Ｉを有する化合物：
【化１】
2014530837.tif 000001
（式中、
Ｒ１は−Ｈ及び−Ｃ１〜６アルキルから選択され、
Ｒ２は−Ｈ、
【化２】
2014530837.tif 000002
、−Ｃ１〜６アルキル、−（ＣＨ２）ｍ−（任意に置換されたアリール）及び−（Ｎ、Ｏ及びＳから選択される少なくとも１つのヘテロ原子を含有する任意に置換された５員又は６員の複素環）から選択され、その置換基は−Ｃ１〜４アルキルから選択され、
Ｒ３は−Ｈ、−Ｃ１〜６アルキル、
置換基が−Ｈａｌ及び−ＣＦ３から選択される−ＮＲ６−ＳＯ２−（ＣＨ２）ｎ−（任意に置換されたアリール）、
置換基がＨａｌ、−ＮＲ９Ｒ１０及び−Ｃ（Ｏ）−Ｏ−Ｒ１１から選択される−（任意に置換されたアリール）、
置換基が−Ｈａｌ、−ＮＲ９Ｒ１０、−Ｃ（Ｏ）−Ｏ−Ｒ１１、並びにＮ、Ｏ及びＳから選択される少なくとも１つのヘテロ原子を含有する５員又は６員の複素環から選択される−（Ｎ、Ｏ及びＳから選択される少なくとも１つのヘテロ原子を含有する任意に置換された５員又は６員の複素環）、
から選択され、又は、
Ｒ１及びＲ２が共にフェニル環を形成するか、若しくはＲ２及びＲ３が共にフェニル環を形成し、
Ｒ４は−Ｈであり、
Ｒ５は−Ｈ及び−（ＣＨ２）ｎ−（任意に置換されたフェニル）からなる群から選択され、その置換基は−Ｈａｌ及び−Ｃ１〜４アルキルから選択され、
Ｒ６は−Ｈ及び−Ｃ１〜４アルキルから選択され、
Ｒ９は−Ｈ、−Ｃ１〜４アルキル及び−Ｃ１〜４アルキレン−ＮＲ１１Ｒ１１から選択され、
Ｒ１０は−Ｈ、−Ｃ１〜４アルキル及び−Ｃ１〜４アルキレン−ＮＲ１１Ｒ１１から選択され、
Ｒ１１は−Ｈ、−ＣＦ３及び−Ｃ１〜４アルキルから選択され、
ｍは各々０又は１であり、
ｎは各々独立して０、１、２又は３であり、
ただし、該化合物は以下の化合物の１つではない：
Ｎ−ｍ−クロロフェニルピコリノヒドロキサム酸、Ｎ−ｍ−クロロフェニルキナルジノヒドロキサム酸、
【化３】
2014530837.tif 000003
）。
【請求項２】
Ｒ１が−Ｈである、請求項１に記載の化合物。
【請求項３】
Ｒ２が−Ｈ、−Ｃ１〜６アルキル、−フェニルから選択される、請求項１又は２に記載の化合物。
【請求項４】
Ｒ２及びＲ３が共にフェニル環を形成する、請求項１〜３のいずれか一項に記載の化合物。
【請求項５】
Ｒ５が−Ｈである、請求項１〜４のいずれか一項に記載の化合物。
【請求項６】
請求項１〜５のいずれか一項に記載の一般式Ｉを有する化合物（ただし、除かれる前記のものは除かれない）と、任意に１つ又は複数の薬学的に許容可能な添加剤及び／又は担体とを含む医薬組成物（ただし、該化合物は以下の化合物の１つではない：
【化６】
2014530837.tif 000004
）。
【請求項７】
ウイルス性疾患の治療、改善又は予防に使用される、請求項１〜５のいずれか一項に記載の一般式Ｉを有する化合物（ただし、除かれる前記のものは除かれない）を含有する医薬。
【請求項８】
前記化合物が、
【化１１】
2014530837.tif 000005
ではない、請求項７に記載の医薬。
【請求項９】
前記ウイルス性疾患がヘルペスウイルス科、レトロウイルス科、フィロウイルス科、パラミクソウイルス科、ラブドウイルス科、オルトミクソウイルス科、ブニヤウイルス科、アレナウイルス科、コロナウイルス科、ピコルナウイルス科、トガウイルス科、フラビウイルス科によって引き起こされ、より具体的には前記ウイルス性疾患がインフルエンザである、請求項７又は請求項８に記載の医薬。
【請求項１０】
医薬組成物であって、
（ｉ）請求項１〜５のいずれか一項に記載の一般式Ｉを有する化合物（ただし、除かれる前記のものは除かれない）と、
（ｉｉ）前記一般式Ｉを有する化合物とは異なる少なくとも１つのポリメラーゼ阻害剤；
少なくとも１つのノイラミニダーゼ阻害剤；
少なくとも１つのＭ２チャネル阻害剤；
少なくとも１つのαグルコシダーゼ阻害剤；
少なくとも１つの別のインフルエンザ標的のリガンド；並びに
抗生物質、抗炎症剤、リポキシゲナーゼ阻害剤、ＥＰリガンド、ブラジキニンリガンド及びカンナビノイドリガンドから選択される少なくとも１つの薬剤
からなる群より選択される少なくとも一種の化合物と、
任意に１つ又は複数の薬学的に許容可能な添加剤及び／又は担体と、
を含む、医薬組成物。
【請求項１１】
ウイルス性疾患の治療、改善又は予防に使用される、請求項１０に記載の医薬組成物。
【請求項１２】
前記ウイルス性疾患がヘルペスウイルス科、レトロウイルス科、フィロウイルス科、パラミクソウイルス科、ラブドウイルス科、オルトミクソウイルス科、ブニヤウイルス科、アレナウイルス科、コロナウイルス科、ピコルナウイルス科、トガウイルス科、フラビウイルス科によって引き起こされ、より具体的には前記ウイルス性疾患がインフルエンザである、請求項１１に記載の医薬組成物。
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
式：
【化１】
2014530818.tif 000001
（式中、
ｎは、１または２である；
Ｘは、−ＣＨ２−または−Ｏ−である；
Ｒ１は、−ＣＨ３または−ＣＨ２ＣＨ３である；
Ｒ２は、−Ｈまたは−ＣＨ３である；
Ｒ３は、−Ｈまたは−ＯＨ（ただし、Ｒ３は、Ｘが−Ｏ−である場合は−Ｈである）である）の化合物、またはそれらの医薬上許容される塩。
【請求項２】
式： 
【化２】
2014530818.tif 000002
（式中、
ｎは、１または２である；
Ｒ１は、−ＣＨ３または−ＣＨ２ＣＨ３である；
Ｒ２は、−Ｈまたは−ＣＨ３である；
Ｒ３は、−Ｈまたは−ＯＨである）の請求項１に記載の化合物、またはそれらの医薬上許容される塩。
【請求項３】
式：
【化３】
2014530818.tif 000003
（式中、
Ｒ１は、−ＣＨ３または−ＣＨ２ＣＨ３である；
Ｒ２は、−Ｈまたは−ＣＨ３である；
Ｒ３は、−Ｈまたは−ＯＨである）の請求項１または２に記載の化合物、またはそれらの医薬上許容される塩。
【請求項４】
式：
【化４】
2014530818.tif 000004
の請求項１〜３のいずれか一項に記載の化合物、またはそれらの医薬上許容される塩。
【請求項５】
式：
【化５】
2014530818.tif 000005
を有する請求項１〜４のいずれか一項に記載の化合物、またはそれらの医薬上許容される塩。
【請求項６】
２−クロロ−４−［［（１Ｒ，２Ｒ）−２−ヒドロキシ−２−メチル−シクロペンチル］アミノ］−３−メチル−ベンゾニトリルである、請求項５に記載の化合物。
【請求項７】
式：
【化６】
2014530818.tif 000006
を有する請求項１〜４のいずれか一項に記載の化合物、またはそれらの医薬上許容される塩。
【請求項８】
２−クロロ−４−［［（１Ｓ，２Ｒ）−２−ヒドロキシ−２−メチル−シクロペンチル］アミノ］−３−メチル−ベンゾニトリルである、請求項７に記載の化合物。
【請求項９】
請求項１〜８のいずれか一項に記載の化合物、またはその医薬上許容される塩と、１つ以上の医薬上許容される担体、希釈剤、または賦形剤とを含む医薬組成物。
【請求項１０】
パッチとして製剤化される、請求項９に記載の医薬組成物。
【請求項１１】
局所ゲルとして製剤化される、請求項９に記載の医薬組成物。
【請求項１２】
局所クリームとして製剤化される、請求項９に記載の医薬組成物。
【請求項１３】
局所用噴射剤として製剤化される、請求項９に記載の医薬組成物。
【請求項１４】
溶媒和物を含む、請求項９に記載の医薬組成物。
【請求項１５】
ａ）２θで７．００、１７．２６、１２．３０、および２３．３４＋／−−０．２；または
ｂ）２θで７．００、８．５９、１２．３０、１６．７６、１７．２６、および２３．３４＋／−−０．２；または
ｃ）２θで７．００、８．５９、１０．１３、１１．８９、１２．３０、１２．９１、１３．９５、１６．７６、１７．２６、２３．３４＋／−−０．２でピークを含むＣｕＫα源（λ＝ＸÅ）から得られたＸ線粉末回折パターンによって特性付けられた結晶形である２−クロロ−４−［［（１Ｒ，２Ｒ）−２−ヒドロキシ−２−メチル−シクロペンチル］アミノ］−３−メチル−ベンゾニトリル・エタノール溶媒和物である、請求項１４に記載の医薬組成物。
【請求項１６】
医薬品を製造するための、請求項１〜８のいずれか一項に記載の化合物、またはその医薬上許容される塩の使用。
【請求項１７】
筋萎縮症を治療するための医薬品を製造するための、請求項１〜８のいずれか一項に記載の化合物、またはその医薬上許容される塩の使用。
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
超小型電子パッケージであって、
互いに反対側の第１の表面及び第２の表面と、前記第１の表面と前記第２の表面との間に延在する第１の開口部及び第２の開口部とを有する基板であって、前記開口部はそれぞれの前記開口部の長さの方向に延在する平行な第１の軸及び第２の軸を有し、前記第２の表面は前記第１の軸と前記第２の軸との間に配置される中央領域を有する、基板と、
第１の超小型電子素子及び第２の超小型電子素子であって、前記超小型電子素子はそれぞれ、前記基板の前記第１の表面に面する表面と、それぞれの前記超小型電子素子の前記表面において露出し、前記開口部のうちの少なくとも１つと位置合わせされる複数のコンタクトとを有し、各超小型電子素子はメモリ記憶アレイ機能を有する、第１の超小型電子素子及び第２の超小型電子素子と、
前記第２の表面において、該第２の表面の中央領域内に露出する複数の端子であって、該端子は、該超小型電子パッケージを該パッケージの外部にある少なくとも１つの構成要素に接続するように構成される、複数の端子と、
各超小型電子素子の前記コンタクトと前記端子との間に電気的に接続されたリードであって、各リードは前記開口部のうちの少なくとも１つと位置合わせされる部分を有する、リードと、
を備え、
前記端子は、前記超小型電子素子のうちの少なくとも１つの超小型電子素子のメモリ記憶アレイの全ての利用可能なアドレス指定可能メモリ位置の中から、１つのアドレス指定可能メモリ位置を決定するのに該超小型電子パッケージ内の回路によって使用可能なアドレス情報を運ぶように構成される、超小型電子パッケージ。
【請求項２】
前記端子は、前記アドレス指定可能メモリ位置を決定するのに該超小型電子パッケージ内の前記回路によって使用可能な前記アドレス情報の全てを運ぶように構成される、請求項１に記載の超小型電子パッケージ。
【請求項３】
前記端子は第１の端子であり、前記第２の表面は、前記中央領域と、前記基板の前記第１の表面と前記第２の表面との間に延在する対向する第１の縁部及び第２の縁部との間の周辺領域を有し、該超小型電子パッケージは複数の第２の端子を更に含み、前記第２の端子のうちの少なくともいくつかは、前記第２の表面において、前記周辺領域のうちの少なくとも１つの周辺領域内に露出し、前記第２の端子は、該超小型電子パッケージを該超小型電子パッケージの外部にある少なくとも１つの構成要素に接続するように構成される、請求項１に記載の超小型電子パッケージ。
【請求項４】
前記第２の端子のうちの少なくともいくつかは、前記アドレス情報以外の情報を運ぶように構成される、請求項３に記載の超小型電子パッケージ。
【請求項５】
前記基板の前記第１の表面に面する表面を有する第３の超小型電子素子を更に備え、前記第３の超小型電子素子はメモリ記憶アレイ機能を有する、請求項１に記載の超小型電子パッケージ。
【請求項６】
前記基板の前記第１の表面に面する表面を有する第４の超小型電子素子を更に含み、前記第４の超小型電子素子はメモリ記憶アレイ機能を有する、請求項５に記載の超小型電子パッケージ。
【請求項７】
前記基板は、前記第３の開口部及び第４の開口部を有し、前記第３の超小型電子素子及び前記第４の超小型電子素子はそれぞれ、該第３の超小型電子素子及び該第４の超小型電子素子の前記表面において露出し前記開口部のうちの少なくとも１つと位置合わせされる複数のコンタクトを有し、該超小型電子パッケージは、前記第３の超小型電子素子及び前記第４の超小型電子素子のそれぞれの超小型電子素子の前記コンタクトと前記端子との間に電気的に接続された第２のリードを更に備え、前記第２のリードのそれぞれは、前記開口部のうちの少なくとも１つと位置合わせされる部分を有する、請求項６に記載の超小型電子パッケージ。
【請求項８】
前記第３の開口部及び前記第４の開口部は、前記開口部の長さの方向に延在するそれぞれの平行な第３の軸及び第４の軸を有し、前記第３の軸は前記第１の軸に平行である、請求項７に記載の超小型電子パッケージ。
【請求項９】
前記第１の軸は前記第３の開口部の長さの方向に延在し、前記第２の軸は前記第４の開口部の長さの方向に延在する、請求項７に記載の超小型電子パッケージ。
【請求項１０】
前記第１の超小型電子素子及び前記第３の超小型電子素子の前記表面は、前記基板の前記第２の表面に平行な単一の平面内に配列され、前記第２の超小型電子素子及び前記第４の超小型電子素子のそれぞれの前記表面は、前記第３の超小型電子素子及び前記第１の超小型電子素子のうちの少なくとも１つの超小型電子素子背面上に少なくとも部分的に重なる、請求項７に記載の超小型電子パッケージ。
【手続補正書】
【提出日】平成27年8月26日(2015.8.26)
【手続補正１】
【補正対象書類名】特許請求の範囲
【補正対象項目名】全文
【補正方法】変更
【補正の内容】
【特許請求の範囲】
【請求項１】
画素電極と、
感光材料の層と、
半導体材料の層と、
第２電極と、
動作時に前記半導体材料および前記感光材料間に電位差を加える手段と
を備えており、
前記感光材料の層は前記画素電極と前記半導体材料の層との間に配置されているため露光時の前記感光材料のフォトレジティビティ（ｐｈｏｔｏｒｅｓｉｔｉｖｉｔｙ）は減少しておりセンサのダイナミックレンジは拡大している、
撮像センサ。
【請求項２】
前記感光材料の層はドープポリビニルカルバゾール（ＰＶＫ）を含んで成る、請求項１に記載の撮像センサ。
【請求項３】
前記感光材料の層はドープガリウムヒ素（ＧａＡＳ）を含んで成る、請求項１に記載の撮像センサ。
【請求項４】
前記感光材料の層はドープ炭化ケイ素を含んで成る、請求項１に記載の撮像センサ。
【請求項５】
前記感光材料の層はドープガリウムリン（ＧａＰ）を含んで成る、請求項１に記載の撮像センサ。
【請求項６】
前記感光材料の層はドープビスマスシリコンオキサイド（ＢＳＯ）を含んで成る、請求項１に記載の撮像センサ。
【請求項７】
前記感光材料の層はアンドープビスマスシリコンオキサイド（ＢＳＯ）を含んで成る、請求項１に記載の撮像センサ。
【請求項８】
添付図面のうち図２および図４から図９を参照してここに実質的に説明される撮像センサ。
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
ＭＢＡＮのセンサデバイスに対してマルチ周期的ＧＴＳを割り当てる前記ＭＢＡＮのＰＡＮコーディネータであって、
コントローラを有し、前記コントローラが、
前記ＭＢＡＮのセンサデバイスから、マルチ周期的ＧＴＳに関するリクエストを受信し、
前記リクエストに関するＧＴＳ割当てを決定し、
前記センサデバイスに対して、記述子を送信するよう構成され、
前記リクエストが、前記マルチ周期的ＧＴＳが要求される周期性を示す期間を含み、前記ＧＴＳ割当てが、開始フレームを含み、前記記述子が、前記開始フレームを特定するための情報を含む、ＰＡＮコーディネータ。
【請求項２】
前記コントローラが、マルチ周期的ＧＴＳ割当てスキームに関するサポートの表示をブロードキャストするよう更に構成される、請求項１に記載のＰＡＮコーディネータ。
【請求項３】
前記コントローラが、現在のＧＴＳ割当てを追跡するよう更に構成され、前記決定は、現在のＧＴＳ割当てに基づかれる、請求項１又は２に記載のＰＡＮコーディネータ。
【請求項４】
前記コントローラが、前記開始フレームから始まってＭフレームごとに、前記センサデバイスとデータを通信するよう更に構成され、Ｍは、前記期間である、請求項１乃至３のいずれか一項に記載のＰＡＮコーディネータ。
【請求項５】
前記期間が、２の累乗である、請求項１乃至４のいずれか一項に記載のＰＡＮコーディネータ。
【請求項６】
前記センサデバイスが、前記マルチ周期的ＧＴＳを別のセンサデバイスと時分割する、請求項１乃至５のいずれか一項に記載のＰＡＮコーディネータ。
【請求項７】
前記ＰＡＮコーディネータが、マルチ周期的ＧＴＳをサポートするよう修正されたＩＥＥＥ８０２．１５．４を用いて、前記センサデバイスと通信する、請求項１乃至６のいずれか一項に記載のＰＡＮコーディネータ。
【請求項８】
前記ＰＡＮデバイスが、フレーム構造を用いて、前記センサデバイスからデータを受信し、
前記フレーム構造が、
ＩＥＥＥ８０２．１５．４に基づかれるコンテンションアクセス期間と、
複数のＧＴＳを含むコンテンションフリー期間であって、前記複数のＧＴＳにおけるあるＧＴＳが、センサデバイスに対する割当てを含み、前記割当ては、前記ＧＴＳが前記センサデバイスに割り当てられる頻度を示す期間を含む、コンテンションフリー期間とを有する、請求項１乃至７のいずれか一項に記載のＰＡＮコーディネータ。
【請求項９】
ＭＢＡＮのセンサデバイスに対してマルチ周期的ＧＴＳを割り当てる方法において、
前記ＭＢＡＮのセンサデバイスからマルチ周期的ＧＴＳに関するリクエストを受信するステップであって、前記リクエストが、前記マルチ周期的ＧＴＳが要求される周期性を示す期間を含む、ステップと、
前記リクエストに関するＧＴＳ割当てを決定するステップであって、前記ＧＴＳ割当てが、開始フレームを含む、ステップと、
前記センサデバイスに記述子を送信するステップであって、前記記述子が、前記開始フレームを特定するための情報を含む、ステップとを有する、方法。
【請求項１０】
マルチ周期的ＧＴＳ割当てスキームに関するサポートの表示をブロードキャストするステップとを更に有する、請求項９に記載の方法。
【請求項１１】
現在のＧＴＳ割当てを追跡するステップを更に有し、前記決定が、現在のＧＴＳ割当てに基づかれる、請求項９又は１０に記載の方法。
【請求項１２】
前記開始フレームから始まるＭフレームごとに、前記センサデバイスとデータを通信するステップを更に有し、Ｍが、前記期間である、請求項９乃至１１のいずれか一項に記載の方法。
【請求項１３】
前記期間は、２の累乗である、請求項９乃至１２のいずれか一項に記載の方法。
【請求項１４】
マルチ周期的ＧＴＳをサポートするよう修正されたＩＥＥＥ８０２．１５．４を用いて、前記センサデバイスと通信するステップを更に有する、請求項９乃至１３のいずれか一項に記載の方法。
【請求項１５】
請求項９乃至１４のいずれか一項に記載の方法を１つ又は複数の処理デバイスに実行させるためコンピュータコードを搬送する非一時的コンピュータ可読媒体。
【請求項１６】
ＭＢＡＮのセンサデバイスに対してマルチ周期的ＧＴＳを割り当てる前記ＭＢＡＮのＰＡＮコーディネータであって、
前記ＭＢＡＮのセンサデバイスから、マルチ周期的ＧＴＳに関するリクエストを受信する受信部であって、前記リクエストが、前記マルチ周期的ＧＴＳが要求される周期性を示す期間を含む、受信部と、
前記リクエストに関するＧＴＳ割当てを決定する決定部であって、前記ＧＴＳ割当てが、開始フレームを含む、決定部と、
前記センサデバイスに対して、記述子を送信する送信部であって、前記記述子が、前記開始フレームを特定するための情報を含む、送信部とを有する、ＰＡＮコーディネータ。
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
第１の領域及び第２の領域を有する基板であって、第１の表面及び該第１の表面から遠隔の第２の表面を有する、基板と、
前記第１の領域内で前記第１の表面に載る少なくとも１つの超小型電子素子と、
前記第２の領域内で前記基板の前記第１の表面及び前記第２の表面の少なくとも一方の表面において露出する導電性素子であって、該導電性素子の少なくとも幾つかは、前記少なくとも１つの超小型電子素子に電気接続される、導電性素子と、
縁部表面を画定し、前記導電性素子のそれぞれの導電性素子にボンディングされたベースを有するワイヤボンドであって、前記ベースは、前記導電性素子に沿って延在する前記縁部表面の第１の部分を、該第１の部分に対して２５度と９０度との間の角度にある前記縁部表面のそれぞれの第２の部分とともに含み、該ワイヤボンドは、前記基板から遠隔でかつ前記ベースから遠隔の端部を更に有する、ワイヤボンドと、
前記第１の表面又は前記第２の表面の少なくとも一方の表面から延在し、前記ワイヤボンドの所定部分を被覆する誘電体封止層であって、それにより、前記誘電体封止層は前記ワイヤボンドの被覆部分が該封止層によって互いから分離され、前記封止層は、少なくとも前記基板の前記第２の領域に載り、前記ワイヤボンドの非封入部分が、前記封止層によって被覆されない前記ワイヤボンドの部分によって画定され、前記非封入部分は前記端部を含み、前記導電性素子は、前記複数の導電性素子のそれぞれの隣接する導電性素子間の第１の最小ピッチを有するパターンで所定の位置に配設され、前記非封入部分は、前記複数のワイヤボンドの隣接するワイヤボンドのそれぞれの端部間の第２の最小ピッチを有するパターンで所定位置に配設され、前記第２のピッチは前記第１のピッチより大きい、誘電体封止層と
を備える、超小型電子パッケージ。
【請求項２】
前記角度は８０度と９０度との間である、請求項１に記載の超小型電子パッケージ。
【請求項３】
請求項１に記載の超小型電子パッケージであって、前記導電性素子は第１の導電性素子であり、該超小型電子パッケージは、前記ワイヤボンドの前記非封入部分に電気接続された複数の第２の導電性素子を更に備え、前記第２の導電性素子は、前記第１の導電性素子に接触しない、請求項１に記載の超小型電子パッケージ。
【請求項４】
前記ワイヤボンドの少なくとも１つのワイヤボンドの端部は、前記ワイヤボンドのベースから前記基板の前記第１の表面に平行な方向に、前記導電性素子間の最小ピッチと１００ミクロンとの少なくとも一方に等しい距離だけ変位され、前記ワイヤボンドの少なくとも１つのワイヤボンドは、該ワイヤボンドの前記ベースと該ワイヤボンドの前記非封入部分との間に少なくとも１つの屈曲部を含み、前記少なくとも１つのワイヤボンドの前記屈曲部は、前記ワイヤボンドの前記ベース及び前記ワイヤボンドの前記非封入部分から遠隔にある、請求項１に記載の超小型電子パッケージ。
【請求項５】
前記屈曲部の半径は、前記少なくとも１つのワイヤボンドの円柱部分の直径の１２倍より大きい、請求項４に記載の超小型電子パッケージ。
【請求項６】
前記屈曲部の前記半径は、前記少なくとも１つのワイヤボンドの円柱部分の直径の１０倍より小さい、請求項４に記載の超小型電子パッケージ。
【請求項７】
前記少なくとも１つのワイヤボンドの前記非封入部分は、前記基板の前記第１の表面に対して垂直から２５度以内の方向に、前記封止層の上に突出する、請求項４に記載の超小型電子パッケージ。
【請求項８】
請求項１に記載の超小型電子パッケージであって、前記少なくとも１つの超小型電子素子は、前記第１の領域内で前記第１の表面に載る第１の超小型電子素子及び第２の超小型電子素子を含み、前記導電性素子の少なくとも幾つかは、前記第１の超小型電子素子に接続され、少なくとも幾つかの導電性素子は、前記第２の超小型電子素子に接続され、前記第１の超小型電子素子及び前記第２の超小型電子素子は、該超小型電子パッケージ内で互いに電気接続される、請求項１に記載の超小型電子パッケージ。
【請求項９】
第１の領域及び第２の領域を有する基板であって、第１の表面及び該第１の表面から遠隔の第２の表面を有する、基板と、
前記第１の領域内で前記第１の表面に載る少なくとも１つの超小型電子素子と、
前記第２の領域内で前記基板の前記第１の表面及び前記第２の表面の少なくとも一方の表面において露出する導電性素子であって、該導電性素子の少なくとも幾つかは、前記少なくとも１つの超小型電子素子に電気接続される、導電性素子と、
前記導電性素子の少なくとも幾つかの導電性素子に接合されたボールボンドと、
縁部表面を画定し、前記少なくとも幾つかの導電性素子の頂上で前記ボールボンドにボンディングされたベースを有するワイヤボンドであって、前記ベースは、前記導電性素子にわたって延在する前記縁部表面の第１の部分を、該第１の部分に対して２５度と９０度との間の角度にある前記縁部表面のそれぞれの第２の部分とともに含み、該ワイヤボンドは、前記基板から遠隔でかつ前記ベースから遠隔の端部を更に有する、ワイヤボンドと、
前記第１の表面又は前記第２の表面の少なくとも一方の表面から延在し、前記ワイヤボンドの所定部分を被覆する誘電体封止層であって、それにより、前記誘電体封止層は前記ワイヤボンドの被覆部分が該封止層によって互いから分離され、前記封止層は、少なくとも前記基板の前記第２の領域に載り、前記ワイヤボンドの非封入部分が、前記封止層によって被覆されない前記ワイヤボンドの部分によって画定され、前記非封入部分は前記端部を含む、誘電体封止層と
を備える、超小型電子パッケージ。
【請求項１０】
請求項１に記載され、前記基板の前記第２の表面において露出した複数の端子と、前記第１の表面と前記第２の表面との間の方向に延在する周辺縁部とを更に含む第１の超小型電子パッケージと、
第２の超小型電子パッケージであって、基板であって、該基板上にコンタクトを有する、基板と、前記コンタクトに電気接続された第２の超小型電子素子と、前記基板の表面において露出し、前記コンタクトを通して前記第２の超小型電子素子に電気接続される端子とを含み、前記第２の超小型電子素子の前記端子は、前記ワイヤボンドのそれぞれの非封入部分に面し電気接続される、第２の超小型電子パッケージと、
回路パネルであって、第１の表面及び該回路パネルの前記表面において露出するパネルコンタクトを含み、前記第１の超小型電子パッケージは、前記回路パネルに載り、前記回路パネルの前記パネルコンタクトに接合した前記第１の超小型電子パッケージの前記端子を有する、回路パネルと、
モノリシックアンダーフィルであって、前記モノリシックアンダーフィルは、前記第１の超小型電子パッケージの周辺縁部の少なくとも１つに載り、前記第１の超小型電子パッケージの前記端子と前記回路パネルの前記パネルコンタクトとの間の接合部を囲む空間内に配設され、前記第２の超小型電子パッケージの前記端子と前記第１の超小型電子パッケージの前記端子との間の接合部を囲む空間内に配設される、モノリシックアンダーフィルと
を備える、超小型電子アセンブリ。